(57)【要約】【課題】エアコンプレッサーと連結するための送風チューブの先端を便器ボウル内の漏斗形排出口に気密に接続させることができるエアコンプレッサー型便器用疎通装置並びにそれに用いられる便器用疎通手段及び接続手段を提供する。【解決手段】エアコンプレッサー１と連結するための送風チューブ２１の先端に該送風チューブ２１を便器ボウル４内の上から下へ徐々に縮小してなった漏斗形排出口４１と気密に接続させるために連結する接続手段２２であって、管状であり、その先端近くの外形が少なくとも一組の先端へと連続に並んでいる径大部と径小部とからなり、且つ、これらの径大部及び径小部のいずれもその外周縁近くが可撓性を有し、前記漏斗形排出口４１の周壁に押圧されると変形されてそれと密接することができるように構成されていることを特徴とする接続手段を提供する。【選択図】      図１
0003105401.tif 000002
【実用新案登録請求の範囲】
【請求項１】
エアコンプレッサーによって圧縮エアを送風チューブ、それから、便器ボウル内の上から下へ徐々に縮小してなった漏斗形排出口を経由し、便器の下に連接している排出管の管路内へ送風して管内の渋滞を疎通する便器用疎通装置において、
前記送風チューブの先端に、該送風チューブを前記漏斗形排出口と気密に接続させるための接続手段が連結してあり、
該接続手段は、管状であって、その先端近くの外形が少なくとも一組の先端へと連続に並んでいる径大部と径小部とからなり、且つ、これらの径大部及び径小部のいずれもその外周縁近くが可撓性を有し、前記漏斗形排出口の周壁に押圧されると変形されてそれと密接することができるように構成されており、
それにより、該接続手段をもって前記便器ボウルの漏斗形排出口へと挿入して前記径大部と径小部をそれぞれ前記漏斗形排出口の上から下へ徐々に縮小している周壁に押圧すると、前記接続手段と前記漏斗形排出口との間の連続を少なくとも上下２段階の気密的な接触を有するようにさせることができることを特徴とするエアコンプレッサー型便器用疎通装置。
【請求項２】
エアコンプレッサーと連結するための送風チューブと該送風チューブの先端に該送風チューブを便器ボウル内の上から下へ徐々に縮小してなった漏斗形排出口と気密に接続させるために連結してある接続手段とからなっている便器用疎通手段であって、
前記接続手段は、管状であり、その先端近くの外形が少なくとも一組の先端へと連続に並んでいる径大部と径小部とからなり、且つ、これらの径大部及び径小部のいずれもその外周縁近くが可撓性を有し、前記漏斗形排出口の周壁に押圧されると変形されてそれと密接することができるように構成されていることを特徴とする便器用疎通手段。
【請求項３】
エアコンプレッサーと連結するための送風チューブの先端に該送風チューブを便器ボウル内の上から下へ徐々に縮小してなった漏斗形排出口と気密に接続させるために連結する接続手段であって、
管状であり、その先端近くの外形が少なくとも一組の先端へと連続に並んでいる径大部と径小部とからなり、且つ、これらの径大部及び径小部のいずれもその外周縁近くが可撓性を有し、前記漏斗形排出口の周壁に押圧されると変形されてそれと密接することができるように構成されていることを特徴とする接続手段。
【請求項４】
前記径大部と径小部とからなる組みは複数あり、且つ、全体からみれば大小複数のフランジが径大から径小へと先細に並んでいるようであることを特徴とする請求項３に記載の接続手段。
【請求項５】
前記各フランジは、内周から外周へと厚みが先薄になっていることを特徴とする請求項４に記載の接続手段。
【請求項６】
弾性変形材からなっており、且つ、その直前の前記送風チューブ上に硬質の材料からなった取っ手が付設されていることを特徴とする請求項３乃至５のいずれか一項に記載の接続手段。
【請求項７】
前記接続手段と前記取っ手の間に、更に、前記便器ボウル内の漏斗形排出口を上から遮蔽するための遮蔽カバーが付設されていることを特徴とする請求項６に記載の接続手段。
【請求項８】
前記遮蔽カバーと前記取っ手とは同一の材料で一体になっていることを特徴とする請求項７に記載の接続手段。
【考案の詳細な説明】
【技術分野】
【０００１】
本考案は、便器用疎通装置に関し、特に、エアコンプレッサーを使用して圧縮エアを便器の排出管内へ強く送風して管内の詰まりを疎通する、エアコンプレッサー型便器用疎通装置並びにそれに用いられる便器用疎通手段及び接続手段に関する。
【背景技術】
【０００２】
従来から、家庭においては、便器の排出管が塞がった場合、ラバーカップを用いて、手押しにより、排出管内にある空気や水などのものを往復動させ、塞がったものを頻りに押圧して疎通するが、ラバーカップの手押しによる押圧力がかなり限られるので、疎通しえないのは十中の八九まであり、結局専門業者に委ねなければならない。しかしながら、専門業者とは言え、エアコンプレッサーによって圧縮エアを送風チューブ、それから、便器ボウル内の上から下へ徐々に縮小してなった漏斗形排出口を経由し、便器の下に連接している排出管の管路内へ送風して管内の渋滞を強制的に疎通するのに過ぎない。この場合、送風チューブを漏斗形排出口内に挿入すると共に、背圧による逆流を防ぐために手で雑巾などをもって送風チューブと漏斗形排出口との間の隙間を気密に塞ぎながら押圧しなければならないため、不潔であるだけでなく、且つ、手で雑巾などを押圧しながら送風チューブを背圧によって揺れ動いて排出管から飛び出さないように掴まえる必要があるので、作業上の不便を増加させるのが必然である。
【考案の開示】
【考案が解決しようとする課題】
【０００３】
上記に鑑みて、本考案の目的は、エアコンプレッサーと連結するための送風チューブの先端を便器ボウル内の漏斗形排出口に気密に接続させることができるエアコンプレッサー型便器用疎通装置並びにそれに用いられる便器用疎通手段及び接続手段を提供しようとする。
【課題を解決するための手段】
【０００４】
前記目的を達成するために、本考案は、エアコンプレッサーと連結するための送風チューブの先端に該送風チューブを便器ボウル内の上から下へ徐々に縮小してなった漏斗形排出口と気密に接続させるために連結する接続手段であって、管状であり、その先端近くの外形が少なくとも一組の先端へと連続に並んでいる径大部と径小部とからなり、且つ、これらの径大部及び径小部のいずれもその外周縁近くが可撓性を有し、前記漏斗形排出口の周壁に押圧されると変形されてそれと密接することができるように構成されていることを特徴とする接続手段を提供する。また、本考案は、それに対応して、エアコンプレッサーと連結するための送風チューブと該送風チューブの先端に該送風チューブを便器ボウル内の上から下へ徐々に縮小してなった漏斗形排出口と気密に接続させるために連結してある接続手段とからなっている便器用疎通手段を提供する。そしてまた、本考案は、前記に基づいて、エアコンプレッサーによって圧縮エアを送風チューブ、前記送風チューブの先端に連結されていて該送風チューブを前記漏斗形排出口と気密に接続させるための接続手段、それから、便器ボウル内の上から下へ徐々に縮小してなった漏斗形排出口を経由し、便器の下に連接している排出管の管路内へ送風して管内の渋滞を疎通する便器用疎通装置を更に提供する。
【考案の効果】
【０００５】
前記のように、前記接続手段をもって前記便器ボウルの漏斗形排出口へと挿入して前記径大部と径小部をそれぞれ前記漏斗形排出口の上から下へ徐々に縮小している周壁に押圧すると、前記接続手段と前記漏斗形排出口との間の連続を少なくとも上下２段階の気密的な接触を有するようにさせることができ、それで前記エアコンプレッサーから輸送された圧縮エアを散じることなく排出管の管路内へ送風することができる。
【考案を実施するための最良の形態】
【０００６】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【０００７】
まず、図１を参照しながら本発明の好ましい一実施形態のエアコンプレッサー型便器用疎通装置を説明する。この実施形態のエアコンプレッサー型便器用疎通装置は、図１に示すように、主としてエアコンプレッサー１と便器用疎通手段２とが連結されてなっているものである。前記便器用疎通手段２は、エアコンプレッサー１と連結するための送風チューブ２１と、該送風チューブ２１の先端に該送風チューブ２１を便器ボウル４内の上から下へ徐々に縮小してなった漏斗形排出口４１と気密に接続させるために連結してある接続手段２２とからなっている。使用時、前記接続手段２２を前記漏斗形排出口４１に当てれば、エアコンプレッサー１によって圧縮エアを前記送風チューブ２１、それから、前記漏斗形排出口４１を経由し、便器の下に連接している排出管４２の管路内へ送風して管内の渋滞を疎通することができる。
【０００８】
もっと詳しくみると、本実施形態の便器用疎通手段の構成を図２を参照して説明することができる。前記便器用疎通手段２では、前記接続手段２２は前記送風チューブ２１の先端に外嵌するように固定されている。前記接続手段２２は、全体がゴムなど弾性変形材からなった管状のものであり、且つ、その前記送風チューブ２１外に嵌合された端部の外周面に複数のねじ山を有する螺合部２２２が形成されている。そして、該接続手段２２は、その先端近くの外形が少なくとも一組の先端へと連続に並んでいる径大部と径小部とからなって前記漏斗形排出口４１の上から下へ徐々に縮小してなった形状に合わせて少なくとも上下２段階の密着をすることができれば良いが、前記送風チューブ２１と前記漏斗形排出口４１との間の気密性を向上させるために、本実施形態においては、前記径大部と径小部とからなる組みが複数あり、且つ、全体からみれば大小複数のフランジ２２１が径大から径小へと先細に並ぶようになっている。そして、前記各フランジ２２１は、内周から外周へと厚みが先薄になっており、また、前記のようにゴムで成形されたため、これらの径大から径小までのいずれのフランジ２２１もその外周縁近くが相当の可撓性を有するので、前記漏斗形排出口４１の周壁に押圧されると変形されてそれと密接することができる。
【０００９】
また、前記接続手段２２の直前の前記送風チューブ２１上に硬質の材料からなった取っ手３１が付設されている（図２を参照）。該取っ手３１は、その先端部が前記接続手段２２の螺合部２２２に脱着可能に螺合されていて、前記送風チューブ２１と前記接続手段２２とが互いに緊密に連結されている。前記接続手段２２と前記取っ手３１の間に、更に、前記取っ手３１の先端部から前記接続手段２２へ拡張延出していて前記便器ボウル４内の漏斗形排出口４１を上から遮蔽することができる遮蔽カバー３２が付設されている。即ち、該遮蔽カバー３２は、前記取っ手３１と同一の材料で一体になっている。そうすると、前記接続手段２２を前記漏斗形排出口４１に挿入する瞬間、または前記接続手段２２が前記漏斗形排出口４１に正確に気密的に接続せずに圧縮エアが外へ散じる場合に前記漏斗形排出口４１内の水や汚物などが飛び散って使用者に跳ねかかるなどの状況を避けることができる。
【００１０】
また、前記接続手段２２の前記複数のフランジ２２１全体の外周形状は、図３と図４に例としてあげられるものが円形と方形に形成されているが、それに限定されず、便器ボウル４の漏斗形排出口４１に気密に接触されれば、市販の便器ボウル４の漏斗形排出口４１の形状に合わせて色々な形状に形成されることができる。勿論、該接続手段２２は前記のような便器ボウル４内の漏斗形排出口４１への使用だけに限定されず、そのサイズを小さくすれば台所やバスルーム内の排水管にも適用することができる。
【００１１】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【産業上の利用可能性】
【００１２】
叙上のように、本考案の接続手段は、可撓性を有し且つ便器ボウル内の上から下へ徐々に縮小してなった漏斗形排出口の周壁形状に合わせて密接されることができるため、それを前記送風チューブによって通常のエアコンプレッサーと接続して前記のようなエアコンプレッサー型便器用疎通装置を構成すると、前記エアコンプレッサーから圧縮エアを前記送風チューブと前記漏斗形排出口を経由して便器の下に連接している排出管の管路内へ力強く送風することができ、且つ、送風チューブが圧縮エアの背圧によって揺れ動いて便器ボウル内の水や汚物などが飛び散る可能性が少であり、やや水や汚物などが飛び散っても前記遮蔽カバーによって阻むことができるので、疎通効果を向上させることができるのみならず、手で雑巾などを持って前記送風チューブと前記漏斗形排出口との間の隙間を気密に押圧する必要がなく、作業上の清潔性と便利性との両方をも兼ねることができる。
【図面の簡単な説明】
【００１３】
【図１】本考案の好ましい実施形態のエアコンプレッサー型便器用疎通装置の構成図。
【図２】本考案の好ましい実施形態の便器用疎通手段及びその接続手段の縦断面図。
【図３】本考案の好ましい実施形態の便器用疎通手段及びその接続手段の外形の一例の斜視図。
【図４】本考案の好ましい実施形態の便器用疎通手段及びその接続手段の外形の他の一例の斜視図。
【符号の説明】
【００１４】
１…エアコンプレッサー、２…便器用疎通装置、２１…送風チューブ、２２…接続手段、２２１…フランジ、２２２…螺合部、３１…取っ手、３２…遮蔽カバー、４…便器ボウル、４１…漏斗形排出口、４２…排出管。
【図１】
0003105401.tif 000003
【図２】
0003105401.tif 000004
【図３】
0003105401.tif 000005
【図４】
0003105401.tif 000006